(57)【要約】【課題】少ない部品点数で簡単に設置して防水機能を高めることを可能とした。【解決手段】防水装置１は、構造物の開口部２ａの両側壁面２ｂにガイドレール３をそれぞれ設置し、ガイドレール３のガイド溝７に防水板４を嵌合して床面１０上に積層する。最上部の防水板４の上側に形成された開口部２ａの上部空間の一定高さに防水シート１２を設置して閉塞する。防水シート１２は可撓性の高いシートであり、その下端部を最上部の防水板４に載置して両側部をガイドレール３の上面と壁面２ｂに当接させる。最上部の防水板４と両側の壁面２ｂに他方の面ファスナー１３ｂを固定し、防水シート１２の裏面の下端部１２ａと両側部１２ｂに一方の面ファスナー１３ａを固定して面ファスナー１３ａ、１３ｂ同士を互いに固着させる。【選択図】図１
2017025651.tif 000002
【特許請求の範囲】
【請求項１】
構造物の開口部を閉塞する防水部材が設置され、前記防水部材の上部空間の一定高さを防水シートによって閉塞することを特徴とする防水装置。
【請求項２】
前記防水シートは、固定具によって前記構造物または防水部材に着脱可能に固定されている請求項１に記載された防水装置。
【発明の詳細な説明】
【技術分野】
【０００１】
本発明は、外部から建物の出入口を通して建物内に雨水が浸水するのを防止する防水部材において、防水部材の高さを超えて雨水の波等が浸入したりすることを防止する防水性を向上させる防水装置に関する。
【背景技術】
【０００２】
近年、大雨や洪水等で道路等が浸水すると、その近辺の家屋やビル、或いは地下鉄の駅等の各種の建物の出入口から水が浸入して水浸しになるため、出入口に例えば特許文献１に記載された防水装置を設置することが望まれている。この防水装置は、出入口における開口部の両壁面に設けた一対のガイドレールのガイド溝に防水板の両端部を嵌合して開口部を閉塞している。
この種の防水装置では、一対のガイドレールに防水板を設置して防水性を確保しているもの以外に、地下や天井から防水板を昇降させて開口部の一定の高さを閉塞するものが知られている。
【０００３】
また、特許文献２に記載された防水装置は、建物の開口部の両側にシャッター用ガイドレールを設置し、このガイドレールの溝部にシャッターカーテンを巻き降ろして繰り出している。通常、シャッターカーテンは帯状の金属製スラットを上下で係合しているため浸水時の防水機能がなく、雨水が道路等に溢れて建物の開口部に浸入しようとする際、スラット間の係合部の隙間や、床面とシャッターカーテン最下部との隙間から水が屋内側に漏れて浸入するおそれがあった。
【０００４】
そのため、シャッターカーテンの外側の両側壁にレールとレール内に設置されたビードを取り付け、シートの幅方向の両端に設けたジッパーがそれぞれビード内に抜き差し可能に設置されている。シートはビードから引き出してシャッターカーテンとガイドレールと壁面に密着させることでシャッターカーテンの所定部より下側をシートで閉塞できる。シートの上部はシャッターカーテンにマグネット等で吸着させて固定し、シート下部は床面上で金属等の重石を設置している。
このようにシートをシャッターカーテンとガイドレールと壁面に密着させることで、シャッターカーテンの所定部より下側を閉塞して開口部から屋内側への浸水を抑制している。
【先行技術文献】
【特許文献】
【０００５】
【特許文献１】特開２０１１−２５６６４２号公報
【特許文献２】特開２０１５−３８３１７号公報
【発明の概要】
【発明が解決しようとする課題】
【０００６】
しかしながら、上述した特許文献１や２に記載された防水装置では、開口部を防水板やシートの設置高さまでは防水できるが、その上側は開口している。一方で、温暖化の影響でゲリラ豪雨等は年々激しくなり、近年では道路等の浸水時の水位が上昇しつつあるため、以前設置した防水板やシートの止水可能な高さでは高さが足りなくなり、雨水の水位が防水板やシートの高さを超えて建物内に浸入することがあった。しかも、豪雨等で道路に水が溜まった状態で車両が通過すると水面が波立って防水板やシートの高さを超えて出入口の開口部から建物の内部に水が浸入することがあった。
これらの場合、防水板やシート等の高さをより高くすればいいのであるが、もともと設置当時の想定水位に合わせた防水板を設置しているため、防水板高さの変更は全面交換工事が必要となることがほとんどである。しかし、交換工事には一定の期間を要するため工事中や工事前の突然のゲリラ豪雨等には対応できないという問題があった。
【０００７】
本発明は、このような課題に鑑みてなされたものであって、従来の設備の使用をしながらも少ない部品点数で簡単且つ容易に防水機能を高めることを可能とした防水装置を提供することを目的とする。
【課題を解決するための手段】
【０００８】
本発明による防水装置は、構造物の開口部において床面より所定高さを閉塞する防水部材が下部に設置され、防水部材の上部空間の一定高さを防水シートによって閉塞することを特徴とする。
本発明は、構造物の開口部を床面上で閉塞する防水部材に対して、これらの防水部材の上側に防水シートを設置して上部空間を閉塞することで、浸水や冠水した雨水の水位や車両の通過によって生じる波が防水部材を超えることがあっても、上部空間の一定高さを防水シートで閉塞することで雨水や波が構造物の開口部から浸入することを防止できる。特に、緊急時や防水板の交換設置工事が間に合わない場合でも、防水部材の上部空間に防水シートを設置することで、雨水の浸入を阻止できる。
【０００９】
また、防水シートは、固定具によって構造物または防水部材に着脱可能に固定されていることが好ましい。
防水部材の上部に防水シートを設置する場合に、面ファスナー、マグネット、フック及びハトメ等の固定具によって構造物または防水部材に防水シートを取り付け固定すればよく、簡易に取り付けと取り外しが行える。
【００１０】
また、防水部材は、防水板、シート状防水壁、シートまたはシャッターカーテンの下部に連結した防水板であってもよい。
本発明は、防水部材として防水板、シート状防水壁、シートまたはシャッター下部に連結した防水板等を採用でき、これらの上部に防水シートを設置することで、防水部材を超える水位になった場合や、車両等の通行で生じる波が防水部材を超える場合でも雨水等の浸入を防止することができる。
【発明の効果】
【００１１】
本発明による防水装置は、構造物の開口部において床面より所定の高さを閉塞する防水部材に対して、これらの防水部材の上部空間の一定高さに防水シートを設置して閉塞することで、浸水時や冠水時に防水部材を超える高さの水位や波等が生じても、防水シートによって水や波等が構造物の開口部を通して浸入することを防止できる。
しかも、緊急時であっても防水部材の上部空間に防水シートを簡単且つ容易に設置できて、少ない部品点数で防水機能を高めることができる。
【図面の簡単な説明】
【００１２】
【図１】本発明の第一実施形態による防水装置の要部斜視図である。
【図２】図１に示す防水装置の変形例を示す要部縦断面図である。
【図３】第二実施形態による防水装置の要部斜視図である。
【図４】図３に示す第二実施形態による防水装置の正面図である。
【図５】第二実施形態のシート固定部の変形例による防水装置を示すものであり、（ａ）は部分正面図、（ｂ）は防水シート取り付け部の縦断面図である。
【図６】第三実施形態による防水装置の要部正面図である。
【図７】第四実施形態による防水装置を示すものであり、（ａ）は要部正面図、（ｂ）は要部平面図である。
【図８】第五実施形態による防水装置を示すものであり、（ａ）は開口部をシート状防水壁で閉塞した状態の要部斜視図、（ｂ）はガイド溝部の受け部に支持棒を取り付けた状態を示す図、（ｃ）はシート状防水壁を床面の下の収納部に収納した状態の縦断面図である。
【図９】第五実施形態による防水装置におけるシート状防水壁の上部空間に防水シートを取り付けた状態の要部斜視図である。
【図１０】第六実施形態による防水装置を示すものであり、シャッター装置のシャッターカーテンにシートと防水シートを取り付けた状態の斜視図である。
【図１１】第七実施形態による防水装置を示すものであり、シャッターの下部に防水板を連結して開口部を閉塞した状態の要部縦断面図である。
【図１２】第八実施形態による防水装置の斜視図である。
【発明を実施するための形態】
【００１３】
以下、本発明の各実施形態による建物等の構造物の防水装置を図１乃至図１２に基づいて説明する。
図１は本発明の第一実施形態による防水装置１を示すものである。図１において、建物の出入口２の開口部２ａに防水装置１が設置されている。防水装置１は建物の開口部２ａの屋外側の壁面２ｂに固定された一対のガイドレール３と複数、例えば３枚の防水板４とを備えている。
【００１４】
各ガイドレール３は例えばアルミ合金製であり、各ガイドレール３は断面略コの字状のガイド溝７が対向して形成されている。各防水板４は例えば長方形板状のアルミ合金からなっており、面外方向の強度を補強するための断面略Ｔ字型の補強部材５が一体または別体に形成され、最下部の防水板４には断面略Ｌ字型の補強部材５ａが形成されている。
なお、各防水板４は例えばアルミ合金製で比較的耐水圧強度が低いために同一材質の補強部材５，５ａを形成することで面外方向の強度を補強している。各ガイドレール３のガイド溝７は対向するように配設され、各ガイド溝７に防水板４の両端部が嵌合されている。
【００１５】
防水板４は、各ガイド溝７に沿って昇降可能であり、必要に応じて装着と取り外しが行える。それぞれの防水板４には長手方向に沿って弾性部材からなるパッキン等の線状の止水材８が固着されている。例えば、最下段の防水板４の上面と下面に止水材８が固着され、中間の防水板４の上面に止水材８が固着され、最上段の防水板４の上面には止水材８を設けない構成を採用してもよい。
そのため、最下端の防水板４は床面１０に止水材８が密着して止水し、２層目と３層目の防水板４は止水材８によって互いに止水して積層されている。なお、各防水板４に対する止水材８の設置面は互いに止水できれば適宜の面に採用できる。
【００１６】
また、出入口２の開口部２ａにおける最上部の防水板４の上部空間には、防水シート１２が設置されている。この防水シート１２は例えば略四角形のシート状に形成され、その下端部１２ａは最上部の防水板４の上部を外側から覆い、その両端部は両側のガイドレール３のガイド溝７内に挿入されて最上部の防水板４の外側に設置されている。そして、防水シート１２の両側部１２ｂは各ガイドレール３の上面を通って開口部２ａの両側の壁面２ｂに設置されている。
しかも、防水シート１２の下端部１２ａの裏面には一方の面ファスナー１３ａが固着され、最上部の防水板４の長手方向にも他方の面ファスナー１３ｂが固着されている。また、防水シート１２の両側部１２ｂの裏面にも一方の面ファスナー１３ａが固定されており、各ガイドレール３の上面と開口部２ａの両側の壁面２ｂにも他方の面ファスナー１３ｂが固定されている。
【００１７】
そのため、最上部の防水板４の上部空間に防水シート１２を固着する場合、図１に示すように防水シート１２の下端部１２ａに固定した一方の面ファスナー１３ａを最上部の防水板４の他方の面ファスナー１３ｂに固着し、防水シート１２の両側部１２ｂに固定した一方の面ファスナー１３ａを、両側のガイドレール３の各上面と開口部２ａの両側の壁面２ｂに固定した他方の面ファスナー１３ｂに固着することができる。防水シート１２は面ファスナー１３ａ、１３ｂを互いに固着することで、防水板４やガイドレール３の上面や壁面２ｂに密着して取り外し可能に固定できる。
【００１８】
本第一実施形態による防水装置１は上述の構成を備えており、次にその取り付け方法について説明する。
防水装置１において、豪雨等によって建物の前の道路が浸水や冠水する恐れがある場合には、建物の出入口２の開口部２ａに予め設置した一対のガイドレール３のガイド溝７内に防水板４を装着する。図１に示す例では、例えば３枚の防水板４の両端部をガイド溝７内に順次積層しておく。そして、実際に豪雨等が発生して道路が浸水し、雨水が最上部の防水板４の近傍まであふれた場合、車両が通過すると波立ち、その波が最上部の防水板４を超えて開口部２ａに浸入するおそれがある。或いは、豪雨によって道路等に浸水した雨水の水位が最上部の防水板４を超えてしまうおそれが生じる。
【００１９】
このような危険を感知した場合、作業者は防水シート１２を取り出してガイドレール３と防水板４の上部を覆うことができる。或いは、防水板４の設置と同時に防水シート１２を設置してもよい。
防水シート１２で最上部の防水板４の上部空間の設定高さを閉塞する場合、防水シート１２の下端部１２ａに固定した一方の面ファスナー１３ａを最上部の防水板４の他方の面ファスナー１３ｂに固着し、防水シート１２の下部両端部を両側のガイドレール３のガイド溝７内に挿入して、一方の面ファスナー１３ａの両端部を防水板４上の他方の面ファスナー１３ｂに固着する。
【００２０】
そして、防水シート１２の上部側部分を各ガイドレール３の上面に沿って建物側に折り曲げ、更に開口部２ａの両側の壁面２ｂに向けて更に折り曲げて壁面２ｂに当接させる。次いで、防水シート１２の両側部１２ｂに固着した一方の面ファスナー１３ａを、両側のガイドレール３の各上面と各壁面２ｂに固着した他方の面ファスナー１３ｂにそれぞれ押し付けて互いに固着させる。
このようにして、本実施形態による防水装置１では、防水板４の上部から開口部２ａを覆うように防水シート１２を配置して密着固定することができる。
【００２１】
上述のように本実施形態による防水装置１によれば、ガイドレール３や防水板４の上部に防水シート１２を設置して開口部２ａを覆い、面ファスナー１３ａ、１３ｂで固着したため、豪雨等で道路等に浸水や冠水する雨水の水位がガイドレール３に設置した防水板４の高さを超えたり、或いは車両が通過する際の波が防水板４を乗り越えようとしても、建物の開口部２ａ内に浸入することを防水シート１２によって防止できる。
特に、豪雨等の発生時に、防水板４の高さが足りないことによる防水板４の全面交換工事が間に合わない場合等でも迅速且つ簡易に防水シート１２を取り付けて防水することができる。しかも、緊急時であっても防水板４の上部空間に防水シート１２を簡単且つ容易に設置できて、少ない部品点数で防水機能を高めることができる。
【００２２】
なお、本発明による防水装置１は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明する。
【００２３】
例えば、図２は本発明の第一実施形態による防水装置１の変形例を示すものである。
図２に示す変形例に示す防水装置１Ａにおいて、不使用時に防水シート１２を支軸１５に巻き取ってロール状に設定しておき、このロール状の防水シート１２を最上部の防水板４の断面略Ｔ字状の補強部材５との間の空間に設置し、支軸１５の両端部を補強部材５の両端部に回動可能に固定するものとする。この場合、補強部材５の幅は防水シート１２の幅より短く設定されているため、支軸１５への巻き取り状態で、防水シート１２の両側部を折り曲げて巻き取っておくとよい。
そして、豪雨等が予想される場合、支軸１５から防水シート１２を上方に繰り出して両側部を図１に示すように広げて、下端部１２ａと両側部１２ｂを面ファスナー１３ａ、１３ｂで固着すればよい。
【００２４】
次に本発明の第二実施形態による防水装置１Ｂを図３及び図４により説明する。
図３に示す第二実施形態による防水装置１Ｂは、建物等の出入口２の開口部２ａ間に防水板４Ａが設置されている事例である。本実施形態において、防水板４Ａは１枚で形成され、床面１０の地下に形成した収納部１７に対して駆動装置等によって床面１０に出没可能に設置されている。
そのため、不使用時には防水板４Ａは床面１０から降下して地下の収納部１７内に収納されており、使用時には床面１０上に上昇して設置されて雨水の浸入を阻止する構成を備えている。なお、防水板４Ａの出没操作は図示しない電動手段により操作スイッチのＯＮ，ＯＦＦによって制御することも可能である。
【００２５】
また、使用状態の防水板４の上部には開口部２ａ同士の間に突っ張り棒タイプの支持棒１８が設置可能とされ、この支持棒１８に保持された防水シート１２が下方に吊り下げられて下部が防水板４Ａの上部に重なって支持棒１８と防水板４Ａとの隙間を覆う構成を有している。
しかも、防水シート１２の両側部には切欠部１２ｃを形成して支持棒１８の両端部を突出させると共に突出片１２ｄを延在させる。この突出片１２ｄを第一実施形態で示す面ファスナー１３ａ、１３ｂによって開口部２ａの壁面に固着することができる。また、防水シート１２の下端部１２ａを面ファスナー１３ａ、１３ｂによって防水板４Ａの上部に固着している。
【００２６】
本第二実施形態によれば、不使用時には床面１０内の収納部１７に防水板４Ａを収納し、防水シート１２を除去するため、開口部２ａの床面１０には何もない状態になる。
そして、豪雨等で道路等が浸水や冠水のおそれがある場合には、操作スイッチによって防水板４Ａを床面１０上に上昇させることで建物内への浸水を阻止できる。また、豪雨や浸水時の車両等の走行によって、雨水の想定水位を超えたり、波立ちによる防水板４Ａを乗り越えるおそれがある場合には、防水シート１２を開口部２ａの間に設置する。そして、支持棒１８を開口部２ａの面間で突っ張らせて係止させる。
これによって、雨水の水位上昇によって防水板４Ａを超えても、或いは道路に冠水した雨水に対して車両等の走行で波が発生してその波が防水板４Ａを乗り越える場合でも、支持棒１８で設置した防水シート１２によって雨水や波が開口部２ａを通して建物内に浸入することを阻止できる。
【００２７】
次に図５は第二実施形態の変形例による防水装置１Ｃを示す図である。
本変形例による防水装置１Ｃは、図５（ａ）に示すように、出入口２の開口部２ａの前面である屋外側の壁面２ｂ間に設置されている。この場合、防水板４は、図１に示すように一対のガイドレール３間に設置してもよいし、或いは壁面２ｂの屋外側において、図３及び図４に示すように床面１０の下に収納部１７を設けて防水板４Ａを出没式に設置してもよい。
そして、図５（ｂ）に示す開口部２ａの両側の壁面２ｂには、所定高さに防水シート１２を備えた支持棒１８を支持する略Ｕ字状の受け部２１が設置されている。防水シート１２には、支持棒１８の端部近傍に切欠部１２ｃが形成されて支持棒１８の端部が露出しており、受け部２１の下側の側部１２ｂには一方の面ファスナー１３ａが固定され、壁面２ｂの上下方向に固定した他方の面ファスナー１３ｂに着脱可能に固着されている。
【００２８】
次に、図６は本発明の第三実施形態による防水装置１Ｄを示すものである。
本第三実施形態では、図５に示す第二実施形態の変形例と同様に、防水装置１Ｄにおける開口部２ａの屋外側の壁面２ｂの両側にフック２３が上下方向に所定間隔で固定されている。そして、防水シート１２の両側部１２ｂには上下方向に所定間隔でハトメ２４が形成され、各ハトメ２４がフック２３に形成されることで、防水シート１２を両側の壁面２ｂに取り付けることができる。
本実施形態の場合には、壁面２ｂと防水シート１２との間に若干の隙間が形成されるが、雨水による水圧の上昇によって防水シート１２が壁面２ｂに押し付けられるため、浸水や冠水による水位が防水板４Ａを超えたとしても建物の開口部２ａからの浸水を規制できる。また、車両等の通行による波も同様に防水シート１２によって浸入を阻止できる。
【００２９】
次に、図７は本発明の第四実施形態による防水装置１Ｅを示すものである。
本第四実施形態による防水装置１Ｅでは、図７（ａ）に示すように、建物の開口部２ａの両側の壁面２ｂに開閉可能な把持部材２６が取り付けられている。この把持部材２６は上下方向に延びていて、各壁面２ｂに固定する基部２６ａと、基部２６ａに対して開閉可能な押圧部２６ｂと、押圧部２６ｂを押圧位置または押圧位置及び開放位置で弾性的に押圧保持可能なばね部材(図示せず)とを備えている。
そして、防水板４、４Ａの設置状態で、防水板４，４Ａの上部空間の一定高さを閉塞するように防水シート１２を壁面２ｂ上に設置する場合、図７（ｂ）に示すように、把持部材２６の基部２６ａに対して押圧部２６ｂを開き、防水シート１２の側部１２ｂを基部２６ａ上に載置して押圧部２６ｂを閉鎖してばねの荷重で押圧保持することができる。
【００３０】
次に本発明の第五実施形態による防水装置１Ｆを図８及び図９により説明する。
本実施形態による防水装置１Ｆは、図８（ａ）に示すように、建物の出入口２の開口部２ａ間に可撓性の高いシートからなるシート状防水壁２８を昇降させて進退可能とした。シート状防水壁２８は可撓性を有していて折り曲げ収納と伸長が容易であり、上端部に棒状の支持部材２７を取り付けている。シート状防水壁２８の上端部両側には支持部材２７の両端を突出させる切欠２８ａが形成されている。
出入口２の対向する開口部２ａの一対の側壁には、図８（ｂ）に示すように、シート状防水壁２８の支持部材２７がガイド溝部２９内で上下動可能に形成されている。各ガイド溝部２９の上方には支持部材２７を支持する支持凹部３０が形成されている。また、図８（ｃ）に示すように、ガイド溝部２９内の下方に延長する床面１０の下方にはシート状防水壁２８の不使用時に折り畳んで収納可能な収納凹部３１が形成されている。
【００３１】
そのため、シート状防水壁２８の使用時には支持部材２７を引き出してその両端をガイド溝部２９内で持ち上げて支持凹部３０で支持することで、シート状防水壁２８は図８（ａ）、（ｂ）に示すように上方向に引き伸ばされて開口部２ａ間の空間を閉塞した状態に保持できる。このとき、シート状防水壁２８の両側部２８ｂを折り曲げた折り曲げ片をガイド溝部２９の側壁に固定金具４０を用いて密着させて雨水が通過しにくいようにする。また、シート状防水壁２８の不使用時には支持部材２７を下方に降下させて、図８（ｃ）に示すように床面１０の下部に設置した収納凹部３１内にシート状防水壁２８をつづら折り状に折り畳んで収納できる。
【００３２】
そして、本第五実施形態による防水装置１Ｆでは、図９に示すように、豪雨等によって使用状態のシート状防水壁２８を超える雨水の水位上昇や、車両等の通行により波が発生する恐れがある場合には、シート状防水壁２８の上部空間に第三実施形態に示すような防水シート１２を取り外し可能に設置することができる。
この防水シート１２は突っ張り棒タイプの支持棒１８が開口部２ａ間に設置され、この支持棒１８に保持された防水シート１２が下方に吊り下げられて下部がシート状防水壁２８の上部に重なって防水シート１２とシート状防水壁２８との隙間を覆う構成を有している。防水シート１２の両側部には切欠部１２ｃから突出片１２ｄを延在させ、この突出片１２ｄを面ファスナー１３ａ、１３ｂによって開口部２ａの壁面に固着することができる。また、防水シート１２の下端部１２ａとシート状防水壁２８の上部とを重ねて面ファスナー１３ａ、１３ｂによって固着している。
【００３３】
次に本発明の第六実施形態による防水装置１Ｇを図１０により説明する。
本実施形態による防水装置１Ｇは建物の出入口２の開口部２ａの側壁間（または壁面２ｂ上）に設置されたシャッター装置３２を備えている。このシャッター装置３２は、開口部２ａの上部にシャッターボックス３３が設置され、シャッターボックス３３からシャッターカーテン３４が繰り出し繰り上げ可能とされている。シャッターカーテン３４を繰り出して床面１０にまで降下させることで開口部２ａを閉塞可能としている。
シャッターカーテン３４は例えばスチール製のスラットを上下方向に連設して構成されており、浸水時の防水性に欠けるため、その前面の下部領域に防水性のシート３５を設置して、豪雨等で道路が浸水したり冠水したりした際に防水性を確保して雨水が建物内に浸水することを防止している。
シート３５はシャッターカーテン３４の前面だけでなく両側側部と床面１０上に折り曲げて設置し、シート３５の側部３５ａは例えば面ファスナー１３ａ、１３ｂによって開口部２ａの側壁に固着し、床面１０上の折り曲げ部３５ｂには重り３６を載置して防水している。また、シート３５の上端部にはマグネット３７を取り付けてシャッターカーテン３４に固定してもよい。
【００３４】
そして、本実施形態の防水装置１Ｇでは、豪雨等によってシャッターカーテン３４の前面に設置したシート３５を超える雨水の水位上昇や車両等の通行による波が発生する恐れがある場合に、シート３５の上部に防水シート３９を設置している。防水シート３９は、シート３５の上部でシャッターカーテン３４の前面を覆うように設置して開口部２ａの側壁にも折り曲げて設置されている。防水シート３９の下端部はシート３５の上面に重ねて設置している。
そして、開口部２ａの側壁上に設置した防水シート３９の側面３９ａは例えば面ファスナー１３ａ、１３ｂによって固着されている。防水シート３９の上端部はシャッターカーテン３４に面ファスナー１３ａ、１３ｂによって固着し、下端部はシート３５の上端部に重ねて面ファスナー１３ａ、１３ｂによって固着することができる。或いは、防水シート３９の上端部と下端部はマグネット３７によって固着してもよい。
【００３５】
本第六実施形態による防水装置１Ｇによれば、豪雨等によってシャッターカーテン３４の前面に設置したシート３５を超える水位の雨水や波が発生した場合でも、シート３５の上部に防水シート３９を設置して防水するため、雨水やその波がシャッターカーテン３４のスラットの連結部を通して屋内に浸入することを防止できる。
【００３６】
次に本発明の第七実施形態による防水装置１Ｈを図１１により説明する。
本実施形態による防水装置１Ｈは建物の出入口２の開口部２ａの側壁間に、第六実施形態と同様なシャッター装置４２を設置したものであり、同一または同様な部材には同一の符号を用いて説明する。このシャッター装置４２は、第六実施形態によるシャッター装置３２と相違して、シャッターカーテン３４の下端部に防水板４Ｂを設置している。
本実施形態による防水装置１Ｇにおいて、建物の開口部２ａをシャッターカーテン３４を繰り出して閉塞した状態で、床面１０上には防水板４Ｂが載置されており、防水板４Ｂの下端部に設置した止水材(図示せず)によって床面１０との間に止水性を確保している。そして、防水板４Ｂの上端部近傍からその上方のシャッターカーテン３４にかけて防水シート４３が設置され、防水シート４３の上端部はマグネット４４によってシャッターカーテン３４に固着され、下端部もマグネット４４によって防水板４Ｂに固着されている。また、防水シート４３の両側部もマグネット４４によって開口部２ａの側壁に固着されている。
なお、防水シート４３は、マグネット４４に代えて面ファスナー１３ａ、１３ｂ等によってシャッターカーテン３４や防水板４Ｂや開口部２ａの側壁に固着するようにしてもよい。
【００３７】
従って、本実施形態による防水装置１Ｈにおいても、豪雨等によってシャッターカーテン３４の下部に設置した防水板４Ｂを超える水位の雨水や波が発生した場合でも、その上部のシャッターカーテン３４の前面に防水シート４３を設置して防水できるため、雨水やその波がシャッターカーテン３４を通して屋内に浸入することを防止できる。
【００３８】
次に本発明の第八実施形態による防水装置１Ｉを図１２により説明する。
本実施形態による防水装置１Ｉは例えば建物の出入口２の開口部２ａの外側の壁面２ｂに設置している。
本実施形態による防水装置１Ｉでは、開口部２ａの両側の壁面２ｂの間が広く形成されている。そのため、両側の壁面２ｂの屋外側に一対のガイドレール３が設置され、その中間に独立して立直した中柱４６が設置されている。各ガイドレール３にはガイド溝７がそれぞれ形成されており、中柱４６の各ガイドレール３に対向する両面にはガイド溝４７がそれぞれ形成されている。また、中柱４６には屋外側に向けて２枚の補強リブ４８が固定されており、中柱４６の上部に設置する防水シート１２が密着し易いように補強リブ４８の上部を切り欠いている。
【００３９】
そして、一方のガイドレール３のガイド溝７と中柱４６の一方のガイド溝４７とに防水板４が例えば３枚収納されて積層され、他方のガイドレール３のガイド溝７と中柱４６の他方のガイド溝４７にも防水板４が例えば３枚収納されて積層されている。
また、防水装置１Ｉにおける、並列に配設した最上部の二枚の防水板４の上部空間に防水シート１２が設置されている。防水シート１２は略四角形のシート状に形成され、その下端部１２ａは最上部の各防水板４の上部を外側から覆い、その両端部は両側のガイドレール３のガイド溝７内に挿入され、中央部は中柱４６における補強リブ４８の切欠部の上に載置されている。
【００４０】
そして、防水シート１２の両側部１２ｂは各ガイドレール３の上面を通って開口部２ａの両側の壁面２ｂに取り付けられている。防水シート１２の下端部１２ａと両側部１２ｂの裏面には一方の面ファスナー１３ａがそれぞれ固定され、最上部の二枚の防水板４の上部と各ガイドレール３の上面及び開口部２ａの両側の壁面２ｂには他方の面ファスナー１３ｂが固定されている。そのため、防水シート１２の下端部と両側部１２ｂの一方の面ファスナー１３ａを、防水板４の上部と各ガイドレール３の上面及び両側の壁面２ｂに固定した他方の面ファスナー１３ｂに固着することができる。
従って、本実施形態による防水装置１Ｉにおいても、豪雨等によって防水板４を超える水位の雨水や波が発生した場合でも、その上部に防水シート１２を設置して防水できるため、雨水やその波が屋内に浸入することを防止できる。
【００４１】
なお、上述した各実施形態や変形例においては、床面１０上に設置して雨水の浸入を阻止する防水部材として、防水板４，４Ａ，４Ｂ，シート状防水壁２８、シャッターカーテン３４の前面に設置するシート３５等を設置したが、本発明では、このような構成に限定されることなく、床面１０の下から自動的に防水板を昇降させるもの、アーチ状に湾曲する防水板、天井付近に設置しておいて防水板を床面１０上に降下させるもの等、適宜のものを採用することができる。
また、上述した各実施形態や変形例においては、防水装置として、建物の出入口２の開口部２ａ間に設置したものと、開口部２ａの壁面２ｂに設置したものを説明したが、本発明による防水装置はいずれに設置してもよい。
【００４２】
また、防水板４，４Ａ，４Ｂやシート状防水壁２８、シャッターカーテン３４の前面に設置するシート３５等の上部に設置してこれらの高さを超える雨水の水位や車両走行で生じる波等を阻止する防水シート１２、３９、４３等を取り付け固定する着脱可能な固定具として、面ファスナー１３ａ、１３ｂや受け部２１、フック２３とハトメ２４、把持部材２６、マグネット４４等を記載したが、これらのいずれを用いてもよく、或いは複数種の固定手段を混合して採用してもよい。また、他の適宜の固定手段を採用してもよい。
なお、中柱４６はガイドレール３に含まれる。
【符号の説明】
【００４３】
１、１Ａ、１Ｂ，１Ｃ，１Ｄ，１Ｅ，１Ｆ，１Ｇ，１Ｈ，１Ｉ  防水装置
２  出入口
２ａ  開口部
２ｂ  壁面
３  ガイドレール
４、４Ａ、４Ｂ  防水板
７、４７  ガイド溝
１０  床面
１２、３９、４３  防水シート
１３ａ、１３ｂ  面ファスナー
１８  支持棒
２１  受け部
２３  フック
２４  ハトメ
２６  把持部材
２８  シート状防水壁
３０  支持凹部
３２  シャッター装置
３４  シャッターカーテン
３５  シート
３７、４４  マグネット
４６  中柱
【図１】
2017025651.tif 000003
【図２】
2017025651.tif 000004
【図３】
2017025651.tif 000005
【図４】
2017025651.tif 000006
【図５】
2017025651.tif 000007
【図６】
2017025651.tif 000008
【図７】
2017025651.tif 000009
【図８】
2017025651.tif 000010
【図９】
2017025651.tif 000011
【図１０】
2017025651.tif 000012
【図１１】
2017025651.tif 000013
【図１２】
2017025651.tif 000014